(57)【特許請求の範囲】
【請求項１】
無線通信を行う通信端末であって、
ＮＣＵ本体と、
前記通信端末に直列に接続された別の通信装置内のＮＣＵからの命令に応じて前記ＮＣＵ本体を動作させるＮＣＵ制御手段とを備え、
前記ＮＣＵ制御手段は、
前記ＮＣＵからの発呼要求の有無を判断する閉ループ検出手段と、
前記ＮＣＵからの命令が、トーン信号であるか否かを判断し、トーン信号の場合にはそのトーン信号がボタン番号のどれに対応する信号であるかを検出し、対応するコード番号を出力する出力手段と、
前記閉ループ検出手段の出力が発呼要求の場合に前記ＮＣＵ本体を動作させ発呼状態にする機能と、前記出力手段から取得したトーン信号が意味するコード番号のデータに基づき、前記ＮＣＵ本体に対して同一のボタン番号の通信相手先を特定する発呼ダイヤルの出力を要求する機能を有する制御部を備えたことを特徴とする通信端末。
【請求項２】
前記ＮＣＵ制御手段は、前記別の通信装置から与えられたデータが、通常の通信データの場合には、そのまま出力するようにしたことを特徴とする請求項１に記載の通信端末。
【請求項３】
無線通信を行う通信端末に実装される網制御装置であって、
ＮＣＵ本体と、
前記通信端末に直列に接続された別の通信装置内のＮＣＵからの命令に応じて前記ＮＣＵ本体を動作させるＮＣＵ制御手段とを備え、
前記ＮＣＵ制御手段は、
前記ＮＣＵからの発呼要求の有無を判断する閉ループ検出手段と
前記ＮＣＵからの命令が、トーン信号であるか否かを判断し、トーン信号の場合にはそのトーン信号がボタン番号のどれに対応する信号であるかを検出し、対応するコード番号を出力する出力手段と、
前記閉ループ検出手段の出力が発呼要求の場合に前記ＮＣＵ本体を動作させ発呼状態にする機能と、前記出力手段から取得したトーン信号が意味するコード番号のデータに基づき、前記ＮＣＵ本体に対して同一のボタン番号の通信相手先を特定する発呼ダイヤルの出力を要求する機能を有する制御部を備えた網制御装置。
【請求項４】
無線通信を行う通信端末におけるデータ通信方法であって、
前記通信端末に直列に接続された別の通信装置からデータが与えられた場合に、その通信端末に内蔵されたＮＣＵ制御手段が、そのデータの種類を検出し、
そのデータの種類が、発呼要求の場合には、前記通信端末に実装されたＮＣＵ本体に発呼処理を実行させ、
前記データの種類が、トーン信号の場合には、そのトーン信号がボタン番号のどれに対応する信号であるかを検出し、対応するコード番号を前記ＮＣＵ本体に与え、前記ＮＣＵ本体にて同一のボタン番号の通信相手先を特定する発呼ダイヤルの出力処理を実行させるようにしたことを特徴とする通信端末におけるデータ通信方法。
【請求項５】
前記別の通信装置から与えられたデータが、通常の通信データの場合には、所定の変調処理を行い与えられたデータと同一内容のデータを送出するようにしたことを特徴とする請求項４に記載の通信端末におけるデータ通信方法。
【発明の詳細な説明】
【０００１】
【発明の属する技術分野】
本発明は、通信端末及びそれを用いたデータ通信方法並びに網制御装置に関するもので、より具体的には発呼機能の改良に関する。
【０００２】
【従来の技術】
最近はＰＨＳや携帯電話などの移動体通信装置（移動体電話機）が、急速に普及されてきている。そして、係る移動体通信装置を用いてパソコン通信やインターネット接続も行われている。この移動体通信装置を用いてパソコン通信を行っている場合のシステム構成の一例を示すと、図１のようになっている。
【０００３】
同図に示すように、ユーザ側のパソコン１に接続されたモデム２に、移動体通信装置であるＰＨＳ３を接続する。そして、ＰＨＳ３は、周囲にある中継局４を介して回線網５に呼がはられ、さらにその回線網５に接続されている通信相手のコンピュータ６に対し相手方モデム７を介して接続される。なお、通信相手のコンピュータ６は、商用ネットワークであったり、ホストコンピュータであったり、対等な関係にある１個のパソコン等であったりする。
【０００４】
係るＰＨＳ３を用いて実際に通信を行うには、まずユーザは通信相手先の電話番号をＰＨＳ３から手動により発呼ダイヤルする。そして、着信されたのを確認後、ユーザは自己のパソコン１からモデム２を介してＩＤ番号，パスワード等のコンピュータ６との接続を行うための処理並びにそれに続く、実際のデータの送受を行う。
【０００５】
また、上記方法では、すべてをマニュアルで処理しなければならず、処理が煩雑となる。すなわち、通信ソフトに組み込まれているオートダイアル・オートログイン機能が使用できない。そこで、係る通信ソフトに登録するダイヤル番号には、所定のダミーの記号を入力しておき、ＰＨＳ３から手動による発呼ダイヤルを行った後、所定のタイミング（例えば１秒程度遅れて）でパソコン１からダイヤル番号として登録しておいた上記ダミーの記号の発信を行い、ダイヤリング待機状態にする。そして、タイミングがうまく合うと、ＰＨＳ３からの発呼ダイヤルで通信相手に対する着信が行われ、しかも、その後は通信ソフトによるオートログインが開始されるようになる方法もある。なお、この方法は、「ＰＣＷＡＶＥ」１９９６年１月号の１４０頁〜１４２頁に紹介されている。
【０００６】
【発明が解決しようとする課題】
しかしながら、上記した従来のものでは、いずれもＰＨＳ３を用いて手動でダイヤルしなければならず、煩雑である。また、パソコンに組み込まれている通信ソフトによるオートログイン機能も、タイミングが合わないとオートログインが成功せず、上記した雑誌の記事によると機種によっては成功率は５０％程度のものもあるとされている。
【０００７】
そして、このようにＰＨＳの場合に、パソコン側からの自動発呼ダイヤル処理ができないのは、モデム２に内蔵されたＮＣＵ（網制御装置）と、ＰＨＳ３内に内蔵されたＮＣＵが直列接続された構造となっており、モデム２側のＮＣＵから出力された発呼ダイアル命令（パソコン１側からの命令により行われる）を受けても、その内容をＰＨＳ３側で理解できず、ＰＨＳ３のＮＣＵが動作しないからである。
【０００８】
一方、携帯電話の場合には、パソコン側からの自動発呼並びにそれに基づくオートログインなどが実施できるようになっている。これは携帯電話とパソコンの両者を考慮して製造された専用のモデムユニットを用いて両者を接続することにより実現している。しかし、このような専用のモデムユニットは、いきおい高価なものとなり、ＰＨＳに馴染まない。
【０００９】
さらに、仮に係る専用のモデムユニットを製造した場合には、通常の有線の電話に接続するためのモデムと、係る専用モデムユニットの両者を準備しなければならなくなる。そして、全く新たにパソコン及び通信設備を購入し、しかも通信手段は、ＰＨＳなどの移動体通信のみに限定される人の場合には、当初からＰＨＳ用の専用のモデムユニットを購入すれば、上記した通常のモデムを２重に購入する必要はなくなる。しかし、最近ではモデム内蔵のパソコン等があり、係る内蔵されたモデムを利用できないのは好ましくない。この点は、ＰＨＳのみならず、携帯電話にも共通の課題として存在する。
【００１０】
本発明は、上記した背景に鑑みてなされたもので、その目的とするところは、上記した問題を解決し、通常のモデム等の通信装置を用い、それと直列接続されたＰＨＳ，携帯電話などの移動体通信装置等の通信端末を介して発呼処理・通信を行うことのできる通信端末及びそれを用いたデータ通信方法並びに網制御装置を提供することにある。
【００１１】
【課題を解決するための手段】
上記した目的を達成するために、本発明に係る通信端末は、無線通信を行う通信端末であって、ＮＣＵ本体と、前記通信端末に直列に接続された別の通信装置内のＮＣＵからの命令に応じて前記ＮＣＵ本体を動作させるＮＣＵ制御手段とを備え、前記ＮＣＵ制御手段は、前記ＮＣＵからの発呼要求の有無を判断する閉ループ検出手段と、前記ＮＣＵからの命令が、トーン信号であるか否かを判断し、トーン信号の場合にはそのトーン信号がボタン番号のどれに対応する信号であるかを検出し、対応するコード番号を出力する出力手段と、前記閉ループ検出手段の出力が発呼要求の場合に前記ＮＣＵ本体を動作させ発呼状態にする機能と、前記出力手段から取得したトーン信号が意味するコード番号のデータに基づき、前記ＮＣＵ本体に対して同一のボタン番号の通信相手先を特定する発呼ダイヤルの出力を要求する機能を有する制御部を備えるようにした。
【００１２】
そして、前記ＮＣＵ制御手段は、前記別の通信装置から与えられたデータが、通常の通信データの場合には、そのまま出力するようにするとよい。
【００１３】
また、本発明に係るデータ通信方法は、無線通信を行う通信端末におけるデータ通信方法であって、前記通信端末に直列に接続された別の通信装置からデータが与えられた場合に、その通信端末に内蔵されたＮＣＵ制御手段が、そのデータの種類を検出し、そのデータの種類が、発呼要求の場合には、前記通信端末に実装されたＮＣＵ本体に発呼処理を実行させ、前記データの種類が、トーン信号の場合には、そのトーン信号がボタン番号のどれに対応する信号であるかを検出し、対応するコード番号を前記ＮＣＵ本体に与え、前記ＮＣＵ本体にて同一のボタン番号の通信相手先を特定する発呼ダイヤルの出力処理を実行させるようにした。
【００１４】
そして、前記別の通信装置から与えられたデータが、通常の通信データの場合には、所定の変調処理を行い与えられたデータと同一内容のデータを送出するようにするとよい。
【００１５】
また、本発明に係る網制御装置は、無線通信を行う通信端末に実装される網制御装置であって、ＮＣＵ本体と、前記通信端末に直列に接続された別の通信装置内のＮＣＵからの命令に応じて前記ＮＣＵ本体を動作させるＮＣＵ制御手段とを備え、前記ＮＣＵ制御手段は、前記ＮＣＵからの発呼要求の有無を判断する閉ループ検出手段と、前記ＮＣＵからの命令が、トーン信号であるか否かを判断し、トーン信号の場合にはそのトーン信号がボタン番号のどれに対応する信号であるかを検出し、対応するコード番号を出力する出力手段と、前記閉ループ検出手段の出力が発呼要求の場合に前記ＮＣＵ本体を動作させ発呼状態にする機能と、前記出力手段から取得したトーン信号が意味するコード番号のデータに基づき、前記ＮＣＵ本体に対して同一のボタン番号の通信相手先を特定する発呼ダイヤルの出力を要求する機能を有する制御部を備えて構成した。
【００１６】
＊用語の定義
通信端末は、実施の形態ではＰＨＳや携帯電話などの移動体電話機であるが、これに限られることはなく、ＮＣＵが実装された端末であれば含まれる。同様に、別の通信装置も実施の形態ではモデムに対応するが、これに限ることはなく、ＮＣＵを備えているものであれば、モデムに限られない。
【００１７】
つまり、本発明では、通信データの発信元から回線網の間に複数のＮＣＵが直列に介在するようなシステム構成を採る場合を前提とし、そのうちの回線網側に配置されるＮＣＵ（本発明では「ＮＣＵ本体」と称している）側の装置及びそれを用いた通信方法に適用される。
【００１８】
また、通常の通信データとは、実施の形態では、パソコン通信などをする場合にコンピュータから送られる情報・データである。つまり、発呼命令・選択番号（ダイヤル）は含まれない。
【００１９】
本発明によれば、無線通信を介して回線網に接続可能な通信端末に直列に接続された別の通信装置内のＮＣＵより、閉ループ要求・発呼命令（選択信号）が発せられると、通信端末内の制御手段がそれを検出し、ＮＣＵ本体に対して、発呼命令等の所定の処理を行う。これに伴い、通信端末内のＮＣＵ本体が、ＮＣＵが行おうとした処理と同一内容の処理を、その通信端末に適したプロトコルに従って閉ループ及びまたは選択信号送出処理を行う。
【００２０】
そして、相手方と接続された後は、通常のデータの送受を行うことになるが、この時、本発明では制御手段が別の通信装置から送られるデータの種類を検出し、係る通常のデータの場合には、スルー状態でそのまま出力する。よって、通信端末が有する本来の送信機能に従い、必要に応じて変調処理を行い無線送信可能な状態にデータ変換（内容は同一のもの）後、送出する。
【００２１】
このように、別の通信装置から見ると、あたかも通信端末内のＮＣＵは存在せず、その通信装置内のＮＣＵから発せられる命令に従って処理される。よって、通信装置が、例えばパソコン等のコンピュータに接続されたモデムの場合には、コンピュータにインストールされた通信ソフトが有するオートダイヤル・オートログイン機能により発呼処理から実際に相手方と接続されるまでの一連の処理をモデムを介して自動的に行うことができる。
【００２２】
【発明の実施の形態】
図２，図３は、本発明に係る通信端末の一例であるＰＨＳ等の移動体電話機の好適な一実施の形態を示している。同図に示すように、移動体電話機１０は、本体の表面に露出するようにして液晶の表示部１２及びテンキー（押しボタン）等の操作部１３が配置されている。そして、操作部１３を介してオンフック／オフフックの指示並びに通話先の電話番号の入力や、その他各種の機能の登録を行えるようになっており、その処理中の内容などが表示部１２を介して視覚的に確認できるようになっている。すなわち、表示部１２，操作部１３は、制御部１４に接続されており、実際には操作部１３を介して入力されたデータは、制御部１４に与えられ、所定の処理を行い、その処理の途中或いは処理後に必要に応じて制御部１４からの制御信号に基づいて表示部１２に表示される。
【００２３】
また、制御部１４は、操作部１３を介して発呼ダイヤルがされると、制御部１４内のＮＣＵを動作させて発呼命令を生成し、出力する。そして、その発呼命令（通話先の電話番号に所定の制御信号を加えたもの）が、無線ユニット１５，アンテナ１６を介して、所定の中継局に向けて発信される。
【００２４】
さらに、移動体電話機１０内には、アナログ入出力部１７が内蔵されている。このアナログ入出力部１７は、主として音声の送受を行うもので、スピーカ１７ａとマイク１７ｂとを備えている。このスピーカ１７ａとマイク１７ｂを用いて、相手方と通常の通話を行えるようにしている。
【００２５】
さらに本例では、外部入／出力端子１７ｃを備えている。この外部入／出力端子１７ｃは、具体的には、モジュラージャックを用い、このモジュラージャックを介して図示するようにパソコン３０（モデム３１）等の外部装置とデータの送受を行えるようになっている。なお、モデム３１はインピーダンス整合器３２を介して外部入／出力端子１７ｃに接続されるようにしている。
【００２６】
さらに、２次電池を含む電源部１８を有し、上記した制御部１４等の各構成部品を駆動可能としている。なお、上記した各構成は、従来のＰＨＳ等で用いられている装置（但し、外部入／出力端子はイヤホーンジャックが用いられているため異なる）と同様であるので、その詳細な説明を省略する。
【００２７】
ここで本発明では、ＮＣＵ制御検出部２０を設けている。このＮＣＵ制御検出部２０は、外部入／出力端子１７ｃに接続され、モデム３１等の外部の通信装置からの信号を検出し、制御部１４等に対し所定の制御信号を出力するようになっている。具体的には図３に示すような内部構造を持っている。
【００２８】
すなわち、まず外部入／出力端子１７ｃに、閉ループ検出部２１と、ＤＴＭＦ検出部２２と、ハイブリッド回路２３とを並列的に接続している。閉ループ検出部２１は、外部装置（コンピュータ３０）に接続された通信装置であるモデム３１のＮＣＵ側からオフフック（発呼要求）があるか否かを判断し、その検出結果を制御部１４に送るようになっている。具体的には、外部入／出力端子１７ｃに微小電流（１ｍＡ以下）を流し、電流が流れるか否かを検出する。そして、電流が流れる場合には、閉ループが構成されたと判断する。
【００２９】
また、モデムに内蔵されるＮＣＵの種類によっては１５ｍＡ以下では動作しないタイプもあるため、それに対応するために閉ループが構成された場合には１５ｍＡを流すように切り替える機能を付加しても良い。
【００３０】
ＤＴＭＦ検出部２２は、外部入／出力端子１７ｃを介して外部から入力されたデータが、ＤＴＭＦ信号（通信先の電話番号等を示すトーン信号）であるか否かを判断する。そして、ＤＴＭＦ信号を検出したならば、その検出信号を制御部１４に伝送するようになっている。さらに、受信したトーン信号をそのままＤＴＭＦ検出部２２の後段に接続されたＤＴＭＦ−コード変換部２４に与え、そこで外部から与えられたＤＴＭＦ信号が、「１〜９，０，＃，＊」等のボタン番号のどれに対応する信号であるかを検出し、対応するコード番号を制御部１４に送るようになっている。
【００３１】
ハイブリッド回路２３は、標準モデムの２線式（送受信信号を混合している）信号と４線式（送受信信号を分離した）信号とを変換するもので、２線４線変換器とも称されているものである。そして、同時にモデムインタフェースの６００オームのインピーダンスとの整合もとるようになっている。
【００３２】
これにより、モデム側から送られてきた信号が、後段のバッファ２５ａを介して制御部１４へ送られ、無線送信される。逆に、アンテナ１６，無線ユニット１５を介して相手方から送られてきたデータは、バッファ２５ｂを経てハイブリッド回路２３に入力され、２線信号に変換されて外部のモデム３１に伝送されるようになっている。そして、両バッファ２５ａ，２５ｂの利得は、ゲインコントローラ２６により、適度な値に調整されている。なお、ＤＴＭＦ信号が入力された場合には、ハイブリッド回路２３のバッファ２５ａへの出力をＯＦＦにするようにしても良い。
【００３３】
また、図示省略するが、バッファ１５ａの出力側には、Ａ／Ｄ変換部が接続され、通信データ（アナログ）をデジタルデータに変換後、無線出力するようになっている。また、バッファ１５ｂの入力側には、Ｄ／Ａ変換部が接続され、相手側コンピュータから送られてきたデータ（デジタル）をアナログデータに変換し、モデムに伝達するようにしている。
【００３４】
また、上記したＮＣＵ制御検出部２０を構成する各部２１，２２，２３，２４２５ａから送られる信号に基づいて動作する制御部１４の機能は、以下のようになっている。
【００３５】
まず、閉ループ検出部２１からは、閉ループの有無についての情報を受け取る。そして、係る情報を受け取った制御部１４では、「閉ループ検出」の場合には、自己（移動体電話機）が有するＮＣＵ本体（従来の内蔵されたＮＣＵに相当する）を動作させ、発呼状態にする。また、閉ループでなくなった（オンフック状態）場合には、自己が有するＮＣＵを動作させ、接続を切る（オンフック）ようにする。つまり、モデムから出力されたオフフック／オンフック要求を閉ループか否かを検出することにより判別し、自己が有するＮＣＵ本体に同一内容の処理を実行させる。
【００３６】
また、ＤＴＭＦ検出部２２からは、ＤＴＭＦ信号が入力されたこと及び入力されたＤＴＭＦ信号が意味するコード番号についてのデータが与えられる。そこで制御部１４では、「ＤＴＭＦ信号入力」を受け取ると、周囲の雑音による誤動作を防止するため、マイク１７ｂからの入力をＯＦＦ（ミュート）する。また、この時スピーカ１７ａからの出力をＯＦＦにする機能を付加してもよい。さらに、コード番号が与えられたなら、そのコード番号に基づいて、対応する操作部１３のボタンが押下されたのと同様の処理を行う。つまり、必要に応じて所定の制御信号を付加した状態でダイヤルし、発呼する。
【００３７】
さらに、ハイブリッド回路２３（バッファ２５ａを介して）から与えられる信号（但し、閉ループのオン／オフやＤＴＭＦ信号を除く）は、そのままスルー状態で無線送信する。
【００３８】
そして実際の処理は、例えば図４に示すフローチャートのようになっている。なお、この図４に示すフローチャートの流れは、本発明に係る通信方法の実施の形態の一例でもある。
【００３９】
同図に示すように、まず、閉ループ検出部２１からの出力信号を取得し、モデム３１側が閉ループになっているか否かを判断し、閉ループになった場合には、オフフック処理を行い中継局に対して閉ループ要求をする（ＳＴ１，２）。
【００４０】
次に、ＤＴＭＦ検出部２２からの検出信号があるか否かを判断し（ＳＴ３）、ある場合には、マイク入力を禁止する（ＳＴ４）。この時、同時にスピーカの出力もオフにする。この状態でＤＴＭＦ−コード変換部２４からのデータを取得し（ＳＴ５）、取得した番号に発呼ダイヤルする（ＳＴ６）。これにより、相手方のコンピュータとの間で呼がはられる。
【００４１】
その後データ信号か否かを判断し（ＳＴ７）、データ信号の場合には、与えられた信号をそのまま送受信する（ＳＴ８）。つまり、ハイブリッド回路２３を介して受け取ったモデムから発せられた情報を無線送信し、逆に相手型コンピュータから受け取った信号は、モデム側に伝送する。
【００４２】
一方、ステップ７の判断でデータ信号でないと判断した場合には、ステップ９に飛び、閉ループが継続されているか否かを判断する（ＳＴ９）。具体的には、閉ループ検出回路２１の出力を取得して判断する。そして、継続中の場合にはステップ７に戻り、さらにデータの送受信を続行する。また、閉ループ断の場合には、オンフック処理をし、回線を切る（ＳＴ１０）。そして、ステップ１に戻り、次の通信に備える。なお、ステップ２で一旦オンフック処理がなされた後でも、閉ループ検出部２１からの検出信号は割り込み命令として入力されるようになっており、閉ループ断となった場合には、図４中のフローチャートのどのステップを実行していてもＮＣＵ本体でもオンフック処理を行い、データ通信モードをリセットするようにしている。
【００４３】
なお、本発明の制御手段は、本実施の形態では、上記したＮＣＵ制御検出部２０と、制御部１４内における図４に示すフローチャート部分の機能により構成される。
【００４４】
なおまた、上記した実施の形態では、外部入／出力端子１７ｃとしてモジュラー端子を用いたため、パソコン２０に接続されたモデム２１との接続を有線による通常の電話との接続と同様の処理により、簡単に行える。つまり、専用の接続線が不要となる。
【００４５】
但し、従来のＰＨＳでも用いられているように、外部入／出力端子としてイヤホーンジャックを用いてももちろん良い。その場合には、ハイブリッド回路は、外付けとなる。
【００４６】
【発明の効果】
以上のように、本発明に係る通信端末及びそれを用いたデータ通信方法並びに網制御装置では、本発明によれば、無線通信を介して回線網に接続可能な通信端末に直列に接続された別の通信装置内のＮＣＵより、閉ループ要求・発呼命令（選択信号）が発せられると、通信端末内の制御手段がそれを検出し、ＮＣＵ本体に対して、発呼命令等の所定の処理を行うので、別の通信装置から見ると、あたかも通信端末内のＮＣＵは存在せず、その通信装置内のＮＣＵから発せられる命令に従って処理することができる。
【００４７】
その結果、通信装置が、例えばパソコン等のコンピュータに接続されたモデムの場合には、コンピュータにインストールされた通信ソフトが有するオートダイヤル・オートログイン機能により発呼処理から実際に相手方と接続されるまでの一連の処理を自動的に行えるので、簡単でしかも番号の押し間違いなどもなくタイミングのずれもないので確実に接続することができる。しかも、通信端末専用のモデム（通信装置）が不要となり、通信装置は汎用性の高いものを使用できる。
【図面の簡単な説明】
【図１】ＰＨＳを用いて行うパソコン通信システムの接続形態の一例を示す図である。
【図２】本発明に係る通信端末の一実施の形態を示す図である。
【図３】ＮＣＵ検出制御部の内部構造を示す図である。
【図４】制御部の機能を説明するフローチャートである。
【符号の説明】
１０  移動体電話機
１４  制御部（制御手段）
２０  ＮＣＵ制御検出部（制御手段）
３１  モデム（別の通信装置）
【図１】
0003584330.tif 000002
【図２】
0003584330.tif 000003
【図３】
0003584330.tif 000004
【図４】
0003584330.tif 000005